(57)【要約】      （修正有）【課題】チャネル品質指標を計測するために対応するユーザ装置がチャネル品質指標基準信号を使用できるように、１つまたは２つ以上のサブフレームから１つまたは２つ以上のチャネル品質指標基準信号を求め送信する改良されたチャネル品質指標の方法であって、ＬＴＥ−Ａの将来のバージョンと共に動作し、後方互換性があり、基本装置動作のための複数の信号への干渉を緩和する方法を提供する。【解決手段】１つまたは２つ以上のチャネル品質指標に対応している１つまたは２つ以上の基準信号を生成するステップと、１つまたは２つ以上のチャネル品質指標基準信号を１つまたは２つ以上のサブフレームの第２のスロットの最後のシンボルにマッピングするステップとを有する。【選択図】図１Ａ
2014053913.tif 000002
【特許請求の範囲】
【請求項１】
無線通信システムで使用される基地局に実装される方法であって、
一又は複数のチャネル品質指標（ＣＱＩ）基準信号をサブフレーム内でユーザ装置（ＵＥ）に送信する過程と、
前記一又は複数のＣＱＩ基準信号に基づいて決定された報告を前記ユーザ装置から受信する過程とを含み、
前記ＣＱＩ基準信号の送信は、ＣＱＩ基準信号送信周期ＴCQI-RSで繰り返され、かつ、
サブフレーム０に対する相対的なサブフレームオフセットが、前記ＣＱＩ基準信号の送信のために設けられており、
前記サブフレームはリソースブロックからなり、前記リソースブロックの最後のＯＦＤＭ（直交周波数分割多重）シンボルが前記ＣＱＩ基準信号を運ぶことを特徴とする方法。
【請求項２】
無線通信システムで使用されるユーザ装置（ＵＥ）に実装される方法であって、
一又は複数のチャネル品質指標（ＣＱＩ）基準信号をサブフレーム内で基地局から受信する過程と、
前記一又は複数のＣＱＩ基準信号に基づいて決定された報告を前記基地局へ送信する過程とを含み、
前記ＣＱＩ基準信号の送信は、ＣＱＩ基準信号送信周期ＴCQI-RSで繰り返され、かつ、
サブフレーム０に対する相対的なサブフレームオフセットが、前記ＣＱＩ基準信号の送信のために設けられており、
前記サブフレームはリソースブロックからなり、前記リソースブロックの最後のＯＦＤＭ（直交周波数分割多重）シンボルが前記ＣＱＩ基準信号を運ぶことを特徴とする方法。
【請求項３】
無線通信システムに実装される方法であって、
一又は複数のチャネル品質指標（ＣＱＩ）基準信号をサブフレーム内で基地局からユーザ装置（ＵＥ）に送信する過程と、
前記一又は複数のＣＱＩ基準信号に基づいて決定された報告を前記ユーザ装置から基地局に送信する過程とを含み、
前記ＣＱＩ基準信号の送信は、ＣＱＩ基準信号送信周期ＴCQI-RSで繰り返され、
かつ、サブフレーム０に対する相対的なサブフレームオフセットが、前記ＣＱＩ基準信号の送信のために設けられており、
前記サブフレームはリソースブロックからなり、前記リソースブロックの最後のＯＦＤＭ（直交周波数分割多重）シンボルが前記ＣＱＩ基準信号を運ぶことを特徴とする方法。
【請求項４】
前記請求項１乃至３のいずれかに記載の方法であって、前記報告は、ランク指標（ＲＩ）、ＣＱＩ、プレコーデイングマトリクス指標（ＰＭＩ）のうち少なくとも一からなることを特徴とする方法。
【請求項５】
前記請求項１乃至３のいずれかに記載の方法であって、前記一又は複数のＣＱＩ基準信号は、セル固有基準信号（ＣＲＳ）、専用基準信号（ＤＲＳ）、物理ブロードキャストチャネル（ＰＢＣＨ）、又は同期信号との衝突を避けるように前記サブフレーム内で送信されることを特徴とする方法。
【請求項６】
前記請求項１乃至３のいずれかに記載の方法であって、前記ＣＱＩ基準信号送信周期は、５ｍｓ、１０ｍｓ、２０ｍｓ、４０ｍｓ、８０ｍｓ、及び１６０ｍｓのいずれかからなることを特徴とする方法。
【請求項７】
前記請求項１乃至３のいずれかに記載の方法であって、前記ＣＱＩ基準信号送信周期は、周波数分割二重化送信について２ｍｓ、５ｍｓ、１０ｍｓ、２０ｍｓ、４０ｍｓ、８０ｍｓ、及び１６０ｍｓのいずれかからなることを特徴とする方法。
【請求項８】
前記請求項１乃至３のいずれかに記載の方法であって、前記ＣＱＩ基準信号送信周期は、時分割二重化送信について１ｍｓ、５ｍｓ、１０ｍｓ、２０ｍｓ、４０ｍｓ、８０ｍｓ、及び１６０ｍｓのいずれかからなることを特徴とする方法。
【請求項９】
前記請求項１乃至３のいずれかに記載の方法であって、前記ＣＱＩ基準信号送信周期がセル固有であり、ＣＱＩ又はＰＭＩ報告周期がＵＥ固有であることを特徴とする方法。
【請求項１０】
前記請求項１乃至３のいずれかに記載の方法であって、ＣＱＩ又はＰＭＩ報告周期が前記ＣＱＩ基準信号送信周期以上であることを特徴とする方法。
【請求項１１】
前記請求項１乃至３のいずれかに記載の方法であって、前記サブフレームオフセットが１ｍｓ乃至（ＴCQI-RS−１ｍｓ）の値をとることを特徴とする方法。
【請求項１２】
前記請求項１乃至３のいずれかに記載の方法であって、前記サブフレームオフセットがセル固有であることを特徴とする方法。
【請求項１３】
前記請求項１乃至３のいずれかに記載の方法であって、前記一又は複数のＣＱＩ基準信号が、空間多重化に使用される一又は複数のアンテナポートのために使用され、前記一又は複数のアンテナポートの数が８以下であるか、又は、一又は複数の送信レイヤのために使用され、前記一又は複数の送信レイヤの数が８以下であることを特徴とする方法。
【請求項１４】
前記請求項１乃至３のいずれかに記載の方法であって、ＣＱＩ基準信号の位置がサイクリックプレフィックス（ＣＰ）長に依存することを特徴とする方法。
【請求項１５】
前記請求項１乃至３のいずれかに記載の方法であって、前記基地局が多地点協調（ＣｏＭＰ）送信で用いられるように構成されていることを特徴とする方法。
【請求項１６】
無線通信システムで使用される基地局であって、
一又は複数のチャネル品質指標（ＣＱＩ）基準信号をサブフレーム内でユーザ装置（ＵＥ）に送信する送信手段と、
前記一又は複数のＣＱＩ基準信号に基づいて決定された報告を前記ユーザ装置から受信する受信手段とを含み、
前記ＣＱＩ基準信号の送信は、ＣＱＩ基準信号送信周期ＴCQI-RSで繰り返され、
かつ、サブフレーム０に対する相対的なサブフレームオフセットが、前記ＣＱＩ基準信号の送信のために設けられており、
前記サブフレームはリソースブロックからなり、前記リソースブロックの最後のＯＦＤＭ（直交周波数分割多重）シンボルが前記ＣＱＩ基準信号を運ぶことを特徴とする基地局。
【請求項１７】
無線通信システムで使用されるユーザ装置（ＵＥ）であって、
一又は複数のチャネル品質指標（ＣＱＩ）基準信号をサブフレーム内で基地局から受信する受信手段と、
前記一又は複数のＣＱＩ基準信号に基づいて決定された報告を前記基地局へ送信する送信手段とを含み、
前記ＣＱＩ基準信号の送信は、ＣＱＩ基準信号送信周期ＴCQI-RSで繰り返され、かつ、
サブフレーム０に対する相対的なサブフレームオフセットが、前記ＣＱＩ基準信号の送信のために設けられており、
前記サブフレームはリソースブロックからなり、前記リソースブロックの最後のＯＦＤＭ（直交周波数分割多重）シンボルが前記ＣＱＩ基準信号を運ぶことを特徴とするユーザ装置。
【請求項１８】
無線通信システムであって、
一又は複数のＣＱＩ基準信号に基づいて決定された報告を送信するユーザ装置（ＵＥ）と、
前記一又は複数のチャネル品質指標（ＣＱＩ）基準信号をサブフレーム内で前記ユーザ装置（ＵＥ）に送信する基地局とを含み、
前記ＣＱＩ基準信号の送信は、ＣＱＩ基準信号送信周期ＴCQI-RSで繰り返され、かつ、
サブフレーム０に対する相対的なサブフレームオフセットが、前記ＣＱＩ基準信号の送信のために設けられており、
前記サブフレームはリソースブロックからなり、前記リソースブロックの最後のＯＦＤＭ（直交周波数分割多重）シンボルが前記ＣＱＩ基準信号を運ぶことを特徴とする無線通信システム。
【発明の詳細な説明】
【技術分野】
【０００１】
本発明は無線通信システムに関し、特には、対応しているユーザ装置（ＵＥ）がＣＱＩの計測にチャネル品質指標基準信号（ＣＱＩ−ＲＳ）を使用できるように１つまたは２つ以上のサブフレームからＣＱＩ−ＲＳを求め送信する方法に関する。
【背景技術】
【０００２】
ロング・ターム・エボリューション（ＬＴＥ）システムやロング・ターム・エボリューション−アドヴァンスド（ＬＴＥ−Ａ）システムのような高度移動通信システムにおいて、ユーザ装置（ＵＥ）は、ランク指標（ＲＩ）、チャネル品質指標（ＣＱＩ）、またはプレコーディングマトリクス指標（ＰＭＩ）などの通信装置の多数のパラメータを計測し、発展型ノードＢ（ｅＮＢ）に報告し、それによってリソース割り当て、リンク適応、および空間多重送信への対応が可能になる。
【発明の概要】
【発明が解決しようとする課題】
【０００３】
現在、ＬＴＥ（リリース８）のＲＩ、ＣＱＩ／ＰＭＩ計測は複数のセル固有基準信号（ＣＲＳ）に基づいて実施されている。各ＣＲＳは、ｅＮＢの送信アンテナポート（最大４つの送信アンテナポートが存在している）に対応している。そのため、空間多重化のために対応することが可能な送信レイヤの最大数は、利用可能なポートの数（つまり４つ）によって制限されている。
【０００４】
ＬＴＥ−Ａ（リリース１０）については、空間多重化に使用されるアンテナポートの数または送信レイヤの数は８つまででなければならない。そのため、より高次のＭＩＭＯ送信への対応を可能にするには、より多くの基準信号が必要となる。さらに、ＬＴＥ−Ａに対して検討中の新しい技術として、多地点協調（ＣｏＭＰ）送信がある。このため、ＬＴＥ−ＡのＵＥも、ＣｏＭＰ送信に関与しているｅＮＢから送信された基準信号に対してＲＩ、ＣＱＩ／ＰＭＩ（または同様な計測値）を計測し報告することが必要な場合もある。
【０００５】
このような複雑さが増加する問題は、以前のＵＥについての後方互換性の問題であると共に、基本装置動作に対して重要な複数の信号への干渉の可能性の問題である。
【０００６】
そのため、ＬＴＥ−Ａの将来のバージョンと共に動作し、後方互換性があり、基本装置動作のための複数の信号への干渉を緩和する方法を提供することが好ましい。
【０００７】
従来技術として記述されている任意の事柄への本明細書における参照は、本明細書の一部を構成している特許請求の範囲の優先日において、オーストラリアまたはそれ以外の地域において、その事柄が公知であったこと、またはそれが含んでいる情報が一般的な知識の一部であったことを認めていると解釈すべきではないことが理解されるであろう。
【課題を解決するための手段】
【０００８】
チャネル品質指標を計測するために対応するユーザ装置がチャネル品質指標基準信号を使用できるように、１つまたは２つ以上のサブフレームから１つまたは２つ以上のチャネル品質指標基準信号を求め送信する改良されたチャネル品質指標の方法であって、１つまたは２つ以上のサブフレームは第１と第２のスロットを有しており、第１と第２のスロットの各々は複数のシンボルを有しており、第１と第２のスロットの各々はリソースブロックを構成し、該方法は、
１つまたは２つ以上のチャネル品質指標に対応している１つまたは２つ以上の基準信号を生成するステップと、
１つまたは２つ以上のチャネル品質指標基準信号を１つまたは２つ以上のサブフレームの第２のスロットの最後のシンボルにマッピングするステップと、
を有する。
【０００９】
以下の説明は本発明の様々な特徴とステップとをより詳細に参照する。本発明の理解を促進するために、本発明が好ましい実施形態において図示されている添付の図面を参照する。しかし、当然、本発明は図示の好ましい実施形態には限定されていない。
【図面の簡単な説明】
【００１０】
【図１Ａ】１つのレイヤについてのＣＱＩ−ＲＳの位置を示している２つの通常サイクリックプレフィックス（ＣＰ）リソースブロックを有しているサブフレームの模式図である。
【図１Ｂ】１つのレイヤについてのＣＱＩ−ＲＳの位置を示している２つの拡張サイクリックプレフィックス（ＣＰ）リソースブロックを有しているサブフレームの模式図である。
【図２】ＦＤＭ（周波数分割多重）によって多重化されている複数のレイヤについてのＣＱＩ−ＲＳの位置を示している２つの通常サイクリックプレフィックス（ＣＰ）リソースブロックを有しているサブフレームの模式図である。
【図３】ＦＤＭとＣＤＭ（符号分割多重）のハイブリッドによって多重化されている複数のレイヤについてのＣＱＩ−ＲＳの位置を示している２つの通常サイクリックプレフィックス（ＣＰ）リソースブロックを有しているサブフレームの模式図である。
【図４】ＦＤＭとＣＤＭのハイブリッドによって多重化されている複数のＣｏＭＰセル用の複数のレイヤについてのＣＱＩ−ＲＳの位置を示している２つの通常サイクリックプレフィックス（ＣＰ）リソースブロックを有しているサブフレームの模式図である。
【図５】セル固有のサブフレームオフセットの使用を示している一連のサブフレームの模式図である。
【図６】複数のＣｏＭＰセル用に構成されているセル固有のサブフレームオフセットの使用を示している一連のサブフレームの模式図である。
【図７】リソースブロックオフセットパラメータＰＢoffsetの使用を示しているサブフレームの帯域幅の模式図である。
【図８】複数のＣｏＭＰセルに適しているリソースブロックオフセットパラメータＰＢoffsetの使用を示しているサブフレームの帯域幅の模式図である。
【発明を実施するための形態】
【００１１】
以下、本発明の実施形態を添付の図面を参照して詳細に説明する。
【００１２】
ここで図１Ａを参照すると、２つの通常サイクリックプレフィックス（ＣＰ）リソースブロック１０５、１１０を有しているサブフレーム１００が示されている。サブフレーム１００は、周波数（ｆ）軸と時間（ｔ）軸とによって示されている。リソースブロック１０５、１１０は、時間（ｔ）に対しては、１スロット１３０、１３５幅を有し、周波数（ｆ）に対しては、１２サブキャリア幅を有する送信単位である。２つのスロット１３０、１３５の各々には、通常サイクリックプレフィックスリソースブロック１０５、１１０については、時間軸に沿った７つのシンボルが含まれている。リソースブロック１０５、１１０全体を構成している多数のリソース要素は、複数のセル固有基準信号（ＣＲＳ）２５と第１の第２の「ロング・ターム・エボリューション−アドヴァンスドチャネル品質指標参照信号（ＬＴＥ−Ａ  ＣＱＩ−ＲＳ）」１１５、１２０である。
【００１３】
動作時には、複数のＲｅｌ−８（リリース８）セル固有基準信号（ＣＲＳ）、Ｒｅｌ−８で規定された専用基準信号（ＤＲＳ）、物理ブロードキャストチャネル（ＰＢＣＨ）、および複数の同期信号との衝突を避けるためにレイヤのＣＱＩ−ＲＳは、最後のＯＦＤＭシンボル（つまり、第２のスロット１３５内のＯＦＤＭシンボル６番）で送信される。リソースブロック１０５、１１０内には、２つのＣＱＩ−ＲＳ  ＲＥが存在し、ＣＱＩ−ＲＳは、リソースブロックの１２個のサブキャリヤにわたって一様に分散していることが好ましい。２つのＣＱＩ−ＲＳ  ＲＥを各レイヤに設けることは有利である。これは、ＣＱＩ−ＲＳオーバーヘッドとＣＱＩ計測性能との間の良好なバランスが実現されるからである。
【００１４】
図１Ａには、上位レイヤから設定される第1のセル固有サブキャリアオフセットｆoffsetも示している。第１のｆoffsetは、リソースブロックの最下位のサブキャリヤインデックスからのＣＱＩ−ＲＳのリソース要素（ＲＥ）の位置のオフセットを定めている。図１Ａでは、第１のｆoffset＝２の場合が示されている。リソースブロックあたり２つのＣＱＩ−ＲＳ  ＲＥがある好適な場合において、第１のｆoffsetは０〜５の値を取ることができる。
【００１５】
図１Ｂは、基本的に図１Ａと同じであるが、２つの拡張サイクリックプレフィックス（ＣＰ）リソースブロック１０５、１１０を有しているサブフレーム１００が示されている。サブフレーム１００は、周波数（ｆ）軸と時間（ｔ）軸と一緒に示されている。リソースブロック１０５、１１０は、時間（ｔ）に対しては、１スロット１３０、１３５幅を有し、周波数（ｆ）に対しては、１２サブキャリヤ幅を有する送信単位である。２つのスロット１３０、１３５の各々には、拡張サイクリックプレフィックスリソースブロック１０５、１１０については、時間軸に沿った６つのシンボルが含まれている。動作時には、レイヤのＣＱＩ−ＲＳは最後のＯＦＤＭシンボル（つまり第２のスロット１３５のＯＦＤＭシンボル５番）として送信される。
【００１６】
ＬＴＥ−Ａ動作に該当する全てのＣＱＩ−ＲＳがサブフレーム内の１つの特定のＯＦＤＭシンボルだけに配置されるように構成することによって、Ｒｅｌ−８  ＣＲＳ、Ｒｅｌ−８  ＤＲＳ、ＰＢＣＨ、および同期信号からの、またはそれらへの干渉を避ける簡単な方法を提供することが便利である。
図２は、２つの通常サイクリックプレフィックス（ＣＰ）リソースブロック２０５、２１０を有しているサブフレーム２００と、周波数分割多重化による多重化のための複数のレイヤについてのＣＱＩ−ＲＳの好ましい位置とをさらに示している。図１Ａおよび１Ｂのように、サブフレーム２００を周波数（ｆ）軸と時間（ｔ）軸と一緒に示している。リソースブロック２０５、２１０は、時間（ｔ）に対しては、１スロット２３０、２３５幅を有し、周波数（ｆ）に対しては、１２サブキャリヤ幅を有する送信単位である。２つのスロット２３０、２３５の各々には、通常サイクリックプレフィックスリソースブロック２０５、２１０について、時間軸に沿った７つのシンボルが含まれている。多数のリソース要素が、第１のＬＴＥ−Ａ  ＣＱＩ−ＲＳ  ２４０（レイヤ１）、第２のＬＴＥ−Ａ  ＣＱＩ−ＲＳ  ２４５（レイヤ１）、第１のＬＴＥ−Ａ  ＣＱＩ−ＲＳ  ２５０（レイヤ２）、第２のＬＴＥ−Ａ  ＣＱＩ−ＲＳ  ２５５（レイヤ２）、第１のＬＴＥ−Ａ  ＣＱＩ−ＲＳ  ２６０（レイヤ３）、第２のＬＴＥ−Ａ  ＣＱＩ−ＲＳ  ２６５（レイヤ３）、第１のＬＴＥ−Ａ  ＣＱＩ−ＲＳ  ２７０（レイヤ４）、第２のＬＴＥ−Ａ  ＣＱＩ−ＲＳ  ２７５（レイヤ４）と共に複数のセル固有基準信号（ＣＲＳ）２２５を有しているリソースブロック２０５、２１０を構成している。
【００１７】
図２において、ＬＴＥ−Ａ動作についての全てのレイヤのＣＱＩ−ＲＳは、複数のレイヤがＦＤＭによって多重化されている場合、同じＯＦＤＭシンボル（つまりシンボル番号６）内で送信される。ＦＤＭの枠組み内の特定の構成を示しているが、他の構成も可能である。
【００１８】
図３は、２つの通常サイクリックプレフィックス（ＣＰ）リソースブロック３０５、３１０を有しているサブフレーム３００と、周波数分割多重化（ＦＤＭ）と符号分割多重化（ＣＤＭ）とによって多重化されている複数のレイヤについてのＣＱＩ−ＲＳの好ましい位置とをさらに示している。多数のリソース要素が、第１のＬＴＥ−Ａ  ＣＱＩ−ＲＳ  ３１５（レイヤ１とレイヤ２）、第２のＬＴＥ−Ａ  ＣＱＩ−ＲＳ  ３２０（レイヤ１とレイヤ２）、第１のＬＴＥ−Ａ  ＣＱＩ−ＲＳ  ３４０（レイヤ３とレイヤ４）、第２のＬＴＥ−Ａ  ＣＱＩ−ＲＳ  ３４５（レイヤ３とレイヤ４）と共に複数のセル固有基準信号（ＣＲＳ）３２５を有しているリソースブロック３０５、３１０を構成している。
【００１９】
図３において、ＬＴＥ−Ａ動作についての全てのレイヤのＣＱＩ−ＲＳは、複数のレイヤがＦＤＭとＣＤＭとのハイブリッドによって多重化されている場合、同じＯＦＤＭシンボル（つまりシンボル番号６）内で送信される。ハイブリッドのＦＤＭとＣＤＭの枠組み内の特定の構成を示しているが、他の構成も可能である。
【００２０】
図４は、ハイブリッドＦＤＭとＣＤＭによって多重化されているＣｏＭＰセル用の複数のレイヤについてのＣＱＩ−ＲＳの位置を示している２つの通常サイクリックプレフィックス（ＣＰ）リソースブロック４０５、４１０を有しているサブフレーム４００の模式図である。動作時には、ＣＱＩ−ＲＳセル間干渉を緩和するために、レイヤのＣＱＩ−ＲＳは最後のＯＦＤＭシンボル（つまり第２のスロット４３５のＯＦＤＭシンボル６番）において送信される。セル間干渉は第１のセル固有のサブキャリヤオフセット、第１のｆoffsetと第２のセル固有のサブキャリヤオフセット、第２のｆoffsetを含めることによってさらに減少する、第１のｆoffsetは、セル１についてリソースブロックの最下位のサブキャリヤインデックスからのＣＱＩ−ＲＳのリソース要素（ＲＥ）位置オフセットを定めている。図４では、第１のｆoffset＝２の場合が示されている。第２のｆoffsetは、セル２についてリソースブロックの最下位のサブキャリヤインデックスからのＣＱＩ−ＲＳのリソース要素（ＲＥ）位置オフセットを定めている。図４では、Ｓｅｃｏｎｄ  ｆoffset＝４の場合が示しされている。このため、複数のＬＴＥ−Ａ  ＣＱＩ−ＲＳは以下のようになる。第１のＬＴＥ−Ａ  ＣＱＩ−ＲＳ  ４４０（セル１のレイヤ１と２）、第２のＬＴＥ−Ａ  ＣＱＩ−ＲＳ  ４４５（セル１のレイヤ１と２）、第１のＬＴＥ−Ａ  ＣＱＩ−ＲＳ  ４５０（セル１のレイヤ３と４）、第２のＬＴＥ−Ａ  ＣＱＩ−ＲＳ  ４５５（セル１のレイヤ３と４）、第１のＬＴＥ−Ａ  ＣＱＩ−ＲＳ  ４６０（セル２のレイヤ１と２）、第２のＬＴＥ−Ａ  ＣＱＩ−ＲＳ  ４６５（セル２のレイヤ１と２）、第１のＬＴＥ−Ａ  ＣＱＩ−ＲＳ  ４７０（セル２のレイヤ３と４）、および第２のＬＴＥ−Ａ  ＣＱＩ−ＲＳ  ４７５（セル２のレイヤ３と４）。
【００２１】
ｆoffsetによって、ＣｏＭＰ  ＣＱＩ−ＲＳ送信についての頑強なセル間干渉管理が可能になることが有利である。
（ＬＴＥ−ＡについてのみのＣＱＩ−ＲＳの送信周期構成）
図５は、セル固有のサブフレームオフセットＳＦoffset  ５１０とＣＱＩ−ＲＳ送信周期、ＴCQI-RS  ５０５との使用を示している一連のサブフレーム５００の模式図である。ＴCQI-RS  ５０５は、ＬＴＥ  Ｒｅｌ−８についてのＣＱＩ／ＰＭＩ報告周期と同じ、つまり、周波数分割２重化（ＦＤＤ）については、２ｍｓ、５ｍｓ、１０ｍｓ、４０ｍｓ、８０ｍｓ、および１６０ｍｓであり、時間分割２重化（ＴＤＤ）については、１ｍｓ、５ｍｓ、１０ｍｓ、４０ｍｓ、８０ｍｓ、および１６０ｍｓである。しかし、ＴCQI-RS  ５０５はセル固有であるのに対して、ＣＱＩ／ＰＭＩ報告周期はＵＥ固有であり、ＴＣＱＩ−ＲＳ  ５０５の構成とＣＱＩ／ＰＭＩ報告周期とは独立している。実際には、ＣＱＩ／ＰＭＩ報告周期は一般的にはＴCQI-RS  ５０５以上である。
【００２２】
上位レイヤから設定されるセル固有サブフレームオフセットＳＦoffset  ５１０は、フレーム内のサブフレーム０に対するＣＱＩ−ＲＳ送信についてのサブフレームオフセットを定めている。ＳＦoffsetは、０ｍｓから（ＴCQI-RS−１）ｍｓの値をとる。図５は２ｍｓのＴCQI-RS  ５０５と１ｍｓのＳＦoffsetとを示している。
【００２３】
ＴCQI-RS  ５０５はＣＱＩ−ＲＳオーバーヘッドの制御に有用であるのに対して、ＳＦoffset  ５１０は複数のＣｏＭＰセル間のＣＱＩ−ＲＳセル間干渉を緩和することに有用であることが有利である。
【００２４】
図６は、一連のサブフレーム６００を示しており、異なるＣｏＭＰセルのＣＱＩ−ＲＳが同じサブフレーム内で送信されることを避けるためには、どのようにＳＦoffsetが使用できるかを説明している。この場合、セル１  ＳＦoffset  ６２５は１ｍｓの値を有しており、セル２  ＳＦoffset  ６１０は値０ｍｓを有しており、ＴCQI-RS  ６０５は２ｍｓである。
（ＬＴＥ−ＡについてのみのＣＱＩ−ＲＳ用のリソースブロック割り当て）
ｋと表記されることもあるＣＱＩ−ＲＳ副帯域は、ＬＴＥ  Ｒｅｌ−８用のＣＱＩ報告副帯域と同様に定義される。ＣＱＩ−ＲＳ副帯域サイズつまりＣＱＩ−ＲＳを有しているリソースブロックの総数は、ＬＴＥ  Ｒｅｌ−８についてのＣＱＩ報告副帯域サイズと同様に、１つのコンポーネントキャリヤについての装置帯域に基づいて求めることができる。具体的には、ＣＱＩ−ＲＳ副帯域サイズは、表１に示しているように求められる。
【００２５】
【表１】
2014053913.tif 000003
【００２６】
ＣＱＩ−ＲＳ副帯域には、ＣＱＩ−ＲＳを有しているリソースブロックは１つだけしか存在しない。これを考慮して、図７はリソースブロックオフセットパラメータＰＢoffset  ７１０の使用を示しているサブフレーム７００（各副帯域７１５に８つのリソースブロックを有している）の帯域幅（２０ＭＨｚ）の模式図を示している。各副帯域７１５はＣＱＩ−ＲＳを含んでいるリソースブロック７０５を有している（副帯域サイズ＝８つのリソースブロック）。ＣＱＩ−ＲＳを有しているリソースブロックの正確な位置は、パラメータＲＢoffset  ７１０によって求めることができる。ＲＢoffsetは０からｋ−１の範囲である。
【００２７】
ＲＢoffset  ７１０は、上位レイヤから設定するか、サブフレーム番号が増加するにつれて副帯域内で第１のリソースブロックから最後のリソースブロックまで循環させる（つまり副帯域内でのＣＱＩ−ＲＳのリソースブロックへのラウンドロビン割り当て）かのいずれかとすることができる。
【００２８】
パラメータＲＢoffsetは、図８に示しているように複数のＣｏＭＰセルの間でのＣＱＩ−ＲＳセル間干渉を緩和するためにも使用できることが有利である。図８において、副帯域８１５内のＣｅｌｌ−１  ＲＢoffset  ８２０とＣｅｌｌ−２  ＲＢoffset  ８２５とを示している。２つのオフセットは、異なるＣｏＭＰセルのＣＱＩ−ＲＳが同じリソースブロック内で送信されるのを避けるために使用される。ラウンドロビン割り当ての場合、ラウンドロビン演算について異なるＣｏＭＰセルに対して異なる開始位置を構成することによって衝突を避けることができる。
【００２９】
ＣＱＩ−ＲＳ副帯域にはＣＱＩ−ＲＳを有している１つのリソースブロックだけしか存在しないことが有利である。ＣＱＩ−ＲＳを有しているリソースブロックの総数は、シングルコンポーネントキャリヤに対するシステム帯域幅に基づいて求められる。ＣＱＩ−ＲＳを有している複数のリソースブロックは装置帯域幅にわたって一様に分散していることが有利である。このことは、（コンポーネントキャリヤ内で）装置の帯域幅全体をカバーできることを意味している。これは、ＬＴＥ−Ａ用において「ワイドバンド」要件として知られている。さらなに有利なことに、この構成は、副帯域内のＣＱＩ−ＲＳを含んでいるリソースブロックの数を最小にすることによって、従来のユーザ装置（例えばＬＴＥ  Ｒｅｌ−８）に対する影響を最小にすることができる。
【００３０】
説明の目的で本発明の典型的な実施形態を開示したが、当業者は本発明の範囲から逸脱することなく様々な修正、追加、および置き換えが可能であることを理解するであろう。そのため、本発明は前述の実施形態には限定されておらず、以下の特許請求の範囲によって定められる。
【００３１】
本出願は、開示の全体が参照によって本明細書に援用される２００９年３月１９日に出願されたオーストラリア特許仮出願第２００９９０１１９６号に基づいており、該出願からの優先権の便益を主張する。
【図１Ａ】
2014053913.tif 000004
【図１Ｂ】
2014053913.tif 000005
【図２】
2014053913.tif 000006
【図３】
2014053913.tif 000007
【図４】
2014053913.tif 000008
【図５】
2014053913.tif 000009
【図６】
2014053913.tif 000010
【図７】
2014053913.tif 000011
【図８】
2014053913.tif 000012